(57)【特許請求の範囲】
【請求項１】
平面型の表示パネルと前記表示パネルに画像を表示するための駆動回路ブロックを有する表示ユニットを収容した外装ケースを備える表示装置本体を収容する梱包箱と、
前記梱包箱内に前記表示装置本体とともに収容され、前記梱包箱の上部中央部および下部中央部の少なくとも一方において、前記表示装置本体と前記梱包箱の間に介在する緩衝材と
を備え、
前記緩衝材は、
前記表示装置本体の前記外装ケースを支持する第１のパネル支持部と、
前記表示パネルの表示面側に配置され、前記第１のパネル支持部から前記表示パネルの中央部に向かって延び、かつ前記表示パネルとの間に隙間が形成されている第２のパネル支持部と
を備え、
前記第２のパネル支持部は、表示パネルの表示面側に設けられた平坦面と、前記梱包箱側に設けられた突起とを備え、
前記平坦面と前記突起はいずれも、前記表示パネルを正面から見たときに少なくとも一部が前記表示パネルの前記表示面と重なるように配置されていることを特徴とする、薄型表示装置の梱包装置。
【請求項２】
前記突起は、一端が前記第２のパネル支持部の前記第１のパネル支持部と接続する部分から離れた位置にあり、前記一端から前記表示パネルの中央部に向けて延びていることを特徴とする、請求項１に記載の薄型表示装置の梱包装置。
【請求項３】
前記突起は、
前記第２のパネル支持部の前記第１のパネル支持部と接続する部分に沿って設けられた第１の部分と、
前記第１の部分から前記表示パネルの中央部に向けて延びる第２の部分と
を備えることを特徴とする、請求項１に記載の薄型表示装置の梱包装置。
【請求項４】
前記第１の部分の両端から前記第２の部分がそれぞれ延びていることを特徴とする、請求項３に記載の薄型表示装置の梱包装置。
【請求項５】
前記第１の部分の中央から前記第２の部分が延びていることを特徴とする、請求項３に記載の薄型表示装置の梱包装置。
【発明の詳細な説明】
【技術分野】
【０００１】
本開示は、テレビジョン受像機やモニター装置に使用される液晶表示装置、プラズマ表示装置等の薄型表示装置の梱包装置に関するものである。
【背景技術】
【０００２】
液晶表示装置は、平面型の薄型表示装置として、一般家庭は勿論のこと、業務用として、需要が拡大している。
【０００３】
一般的に液晶表示装置は、平面型の液晶表示パネルの背面側に、面光源としてのバックライト装置を配置して表示モジュールを構成し、この表示モジュールを、フロントキャビネットとバックキャビネットからなる薄型の筐体の内部に収容することにより構成されている（特許文献１参照）。
【先行技術文献】
【特許文献】
【０００４】
【特許文献１】特開２００９−１３９４２６号公報
【発明の概要】
【発明が解決しようとする課題】
【０００５】
本開示は、輸送時に受ける機械的衝撃などによる薄型表示装置の破損を防ぐことを目的とする。
【課題を解決するための手段】
【０００６】
液晶表示装置においては、ＬＥＤを用いたバックライト装置の普及に伴い、より一層の薄型化が図られている。また、外観デザインの観点から、画像表示領域に比べ、フロントキャビネットの周縁部を狭くした狭額縁のデザイン形状の製品が増えてきている。
【０００７】
このように液晶表示装置及びその他の薄型表示装置（例えばプラズマ表示装置）においては、従来に比べ、より一層薄型化が図られるとともに、狭額縁デザインの採用により、表示装置としての機械的な強度が弱くなる傾向にあり、輸送時に受ける機械的衝撃による破損が課題となってきている。
【０００８】
本開示はこのような現状に鑑みなされたもので、薄型表示装置において、輸送時に受ける機械的衝撃などによる破損を防ぐことを目的とするものである。
【０００９】
本開示は、平面型の表示パネルと前記表示パネルに画像を表示するための駆動回路ブロックを有する表示ユニットを収容した外装ケースを備える表示装置本体を収容する梱包箱と、前記梱包箱内に前記表示装置本体とともに収容され、前記梱包箱の上部中央部および下部中央部の少なくとも一方において、前記表示装置本体と前記梱包箱の間に介在する緩衝材とを備え、
前記緩衝材は、前記表示装置本体の前記外装ケースを支持する第１のパネル支持部と、前記表示パネルの表示面側に配置され、前記第１のパネル支持部から前記表示パネルの中央部に向かって延び、かつ前記表示パネルとの間に隙間が形成されている第２のパネル支持部とを備え、前記第２のパネル支持部は、表示パネルの表示面側に設けられた平坦面と、前記梱包箱側に設けられた突起とを備え、前記平坦面と前記突起はいずれも、前記表示パネルを正面から見たときに少なくとも一部が前記表示パネルの前記表示面と重なるように配置されていることを特徴とする、薄型表示装置の梱包装置を提供する。
【発明の効果】
【００１０】
本開示によれば、輸送時に受ける機械的衝撃などから薄型表示装置を効果的に保護し、表示パネルなどの破損を防ぐことができる。
【図面の簡単な説明】
【００１１】
【図１】本開示の一実施の形態の梱包装置で梱包される液晶表示装置の外観を示す正面図。
【図２】スタンドを取り外した状態の液晶表示装置の背面側から見た斜視図。
【図３】液晶表示装置の全体構成の回路ブロックを示すブロック図。
【図４】回路ブロックの配置例を説明するためにバックキャビネットを取り除いた液晶表示装置の背面図。
【図５】本開示の一実施の形態の梱包装置において、表示装置本体を梱包箱に収容している状態を示す斜視図。
【図６】表示装置本体と緩衝材との位置関係を示す斜視図。
【図７】緩衝材の作用を説明するための説明図。
【図８】本開示の他の実施の形態による梱包装置において、表示装置本体と緩衝材との位置関係を示す斜視図。
【図９】図８の梱包装置の中央上側の緩衝材を示す斜視図。
【図１０】図８の梱包装置の中央下側の緩衝材を示す斜視図。
【発明を実施するための形態】
【００１２】
以下、本開示の一実施の形態による薄型表示装置について、液晶表示装置に使用する表示モジュールを例に図面を参照して説明する。ただし、必要以上に詳細な説明は省略する場合がある。例えば、既に良く知られた事項の詳細説明や実質的に同一の構成に対する重複説明を省略する場合がある。これは、以下の説明が不必要に冗長になることを避け、当業者の理解を容易にするためである。なお、本発明者らは、当業者が本開示を十分に理解するために添付図面および以下の説明を提供するのであって、これらによって特許請求の範囲に記載の主題を限定することを意図するものではない。
【００１３】
図１、図２は本開示の一実施の形態において、完成品である液晶表示装置の外観を示す図、図３は液晶表示装置の全体構成の回路ブロックを示す図、図４は液晶表示装置の回路ブロックの配置例を説明するためにバックキャビネットを取り除いて示す図である。以下の説明において、「上側」、「下側」、「左側」、「右側」、「前面」、及び「背面」のように方向に言及する場合、図１に示すように、液晶表示装置を通常の使用状態の姿勢に配置し、液晶表示パネル３を正面から見た場合を基準とする。
【００１４】
図１、図２に示すように、液晶表示装置は、表示装置本体１と、この表示装置本体１を立てた状態で保持するスタンド２とを有している。表示装置本体１が備える表示ユニット１ａ（図４参照）は、平面型の表示パネルである液晶表示パネル（以下、単に表示パネルという）３と、バックライト装置４と、表示パネル３に画像を表示するための駆動回路ブロックとを有する。この表示ユニット１ａとともに、表示装置本体１を構成する装置構成部品が樹脂成型品などからなる外装ケース５内に収容されている。また、外装ケース５は、表示パネル３の画像表示領域に対応するように開口部６ａを設けたフロントキャビネット６と、このフロントキャビネット６と組み合わせられて表示ユニット１ａの背面側を覆うバックキャビネット７とから構成されている。外装ケース５のバックキャビネット７は、周縁部をビスによりねじ止めすることにより表示ユニット１ａに取り付けられている。外装ケース５のバックキャビネット７は、ビスのねじ止め部７ａによりねじ止めすることにより表示ユニット１ａに取り付けられている。
【００１５】
図３、図４に示すように、液晶表示装置全体の概略構成としては、表示パネル３に画像を表示する駆動回路に加え、信号処理回路ブロック８、電源ブロック９、チューナ１０、及び音を出力するためのスピーカ１１が設けられている。信号処理回路ブロック８は、バックライト装置４の点灯を制御する点灯制御回路を備える。電源ブロック９は、表示パネル３、バックライト装置４、および信号処理回路ブロック８に電源電圧を供給する。チューナ１０は、テレビジョン放送を受信して前記信号処理回路ブロック８に受信信号を供給する。信号処理回路ブロック８と電源ブロック９は、それぞれ回路基板に回路を構成する部品を搭載することにより構成されている。信号処理回路ブロック８、電源ブロック９、チューナ１０などを搭載した回路基板は、バックライト装置４の背面側に取り付けられ、バックライト装置４とバックキャビネット７との間の空間に配置されている。
【００１６】
なお、図３においては、スピーカ１１の図示を省略している。また、図４において、ＤＶＤプレーヤーなどの外部機器からの映像信号を液晶表示装置に入力するための外部信号入力端子１２は、信号処理回路ブロック８に搭載されている。
【００１７】
図５〜図７は本開示における液晶表示装置の梱包装置を説明するための図であり、図５は表示装置本体１を梱包箱に収容している状態を示す斜視図、図６は表示装置本体と緩衝材との位置関係を示す斜視図、図７は梱包した状態での緩衝材の作用を説明するための図である。
【００１８】
図５〜図７に示すように、表示装置本体１は、包装袋（図示せず）で覆った後、リモコンなどの付属品２０とともに、ダンボールからなる梱包箱２１に収容することにより梱包される。このとき、梱包箱２１の上部および下部の左右のコーナー部には、上部コーナー部の一対の緩衝材２２および下部コーナー部の一対の緩衝材２３がそれぞれ分離して配置されている。また、上部中央部および下部中央部にも、緩衝材２２，２３とは分離した状態で緩衝材２４が配置されている。これらの緩衝材２２，２３，２４は、例えば発泡スチロールのように、少なくともある程度の弾性ないし緩衝性を有する材料からなる。
【００１９】
梱包箱２１の上部および下部のコーナー部に配置した緩衝材２２，２３により、図２、図４、図６に示すように、表示装置本体１の外装ケース５の上部および下部のコーナー部領域５ａ，５ｂ，５ｃ，５ｄが保持される。
【００２０】
図５、図６に示すように、本開示においては、梱包箱２１の天面側（上部側）に設けられた緩衝材２４と、梱包箱２１の底面側（下部側）に設けられた緩衝材２４は、外装ケース５の部分が嵌まり込む溝ないし凹部を有する第１のパネル支持部２４ａを備える。表示装置本体１の上端部および下端部が、幅方向（左右方向）の中央部において、これらの緩衝材２４の第１のパネル支持部２４ａにより支持されている。また、上下の緩衝材２４は、表示パネル３の表示面側（前面側）に、第１のパネル支持部２４ａから液晶表示パネル３の中央部に向かって延びる板状の第２のパネル支持部２４ｂを備える。第２のパネル支持部２４ｂは、基端側が第１のパネル支持部２４ａと連続し、先端側が自由端である。言い換えれば、第２のパネル支持部２４ｂは、一種の片持梁を構成し、第１のパネル支持部２４ａに対して弾性的に支持されている。さらに、第２のパネル支持部２４ｂは、表示パネル３の表示面側（背面側）に平坦面２４ｆを備える。また、第２のパネル支持部２４ｂは、梱包箱２１側（前面側）に、梱包箱２１の内面に向けて突出する突起２４ｃが設けられている。本実施の形態では、突起２４ｃは、表示装置本体１の上端部又は下端部から表示パネル３の中央部に向かう方向（上下方向）に延びる概ね真っ直ぐなリブ状である。梱包箱２１に外部から機械的衝撃などの負荷が作用しない通常時には、平坦面２４ｆと表示パネル３との間には隙間があいている。
【００２１】
ここで、図６に示すように、突起２４ｃを有する第２のパネル支持部２４ｂを設けた場合の効果について、図７を用いて説明する。
【００２２】
図７に示すように、梱包箱２１に外部から機械的衝撃などの負荷（外部負荷）２５が加わった時、第２のパネル支持部２４ｂの平坦面２４ｆを介して、矢印Ａに示すように分散して表示パネル３に負荷が加わる。本開示の場合、第２のパネル支持部２４ｂの突起２４ｃは、外部負荷２５により潰れ、応力集中が起きる場所は突起先端２６の梱包箱２１と当接する部分になり、これにより第２のパネル支持部２４ｂを介して表示パネル３側に加わる応力集中による負荷が減少する。つまり、突起２４ｃを設けたことにより、第２のパネル支持部２４ｂの平坦面２４ｆから表示パネル３に加わる負荷は、より確実に均一に分散され、平坦面２４ｆから表示パネル３に局所的に大きな負荷が作用するのを避けることができる。その結果、液晶パネル３の破損を防止することができる。
【００２３】
図８〜図１０は本開示の他の実施の形態による液晶表示装置の梱包装置を説明するための図であり、図８は表示装置本体と緩衝材との位置関係を示す斜視図、図９、図１０は緩衝材を拡大して示す斜視図である。
【００２４】
図８〜図１０に示すように、本実施の形態においては、梱包箱２１の天面側（上側）に設けられた緩衝材２４と、梱包箱２１の底面側（下側）に設けられた緩衝材２４とについて、第２のパネル支持部２４ｂに設ける突起の形状を図６の場合と異ならせている。
【００２５】
図９を参照すると、梱包箱２１の天面側（上側）に配置された緩衝材２４は、第１のパネル支持部２４ａから第２のパネル支持部２４ｂに亘って概ね逆Ｕの字形状に形成された突起２４ｄを備える。具体的には、図９の突起２４ｄは、第２のパネル支持部２４ｂの第１のパネル支持部２４ａとの接続部分に沿って、第２のパネル支持部２４ｂの幅方向（左右方向）に延びる第１の部分２４ｇを備える。また、図９の突起２４ｄは、第１の部分２４ｆの両端から表示パネル３の中央部に向けて下向きに延びる、一対の第２の部分２４ｈを備える。
【００２６】
図１０を参照すると、梱包箱２１の底面側に設けられた緩衝材２４は、左右方向に配置された一対の突起２４ｃを第２のパネル支持部２４ｂの左右の端部に対して隣接した位置に設定している。また、これらの突起２４ｃとは別に、第１のパネル支持部２４ａから第２のパネル支持部２４ｂに亘って、表示パネル３を正面から見た場合に凸形状を呈する突起２４ｅが形成されている。具体的には、図１０の突起２４ｅは、第２のパネル支持部２４ｂのパネル支持部２４ａとの接続部分に沿って、第２のパネル支持部２４ｂの幅方向（左右方向）に延びる第１の部分２４ｉを備える。また、図１０の突起２４ｅは、第１の部分２４ｉの幅方向の中央部から上向きに延びる第２の部分２４ｊを備える。
【００２７】
なお、図８に示す例では、梱包箱２１の天面側に設けられた緩衝材２４と、梱包箱の底面側に設けられた緩衝材２４について、異なる突起を形成したものを用いたが、両方とも同じ形状の突起を形成した緩衝材２４を用いてもよい。
【００２８】
ここで、図９、図１０に示す形状の突起を形成した場合の作用効果について説明する。
【００２９】
最近、梱包部材の薄型化に伴い、緩衝材の厚みも薄くなってきている。緩衝材の厚みが薄くなった場合、緩衝材は成形時に曲がりが生じやすい。緩衝材が曲がっていると、薄型表示装置の梱包時に、天面側の緩衝材の取り付けが困難となったり、底面側の緩衝材の表示装置本体への挿入が困難となる場合がある。また、緩衝材を取り付けられたとしても、第２のパネル支持部２４ｂが内側（幅方向の両端が表示パネル３に接近する向き）に曲がっていると、表示パネル３に対して緩衝材が常に接触する状態が発生する。この場合、緩衝材を介して表示パネル３に伝達される振動などに起因する悪影響が出やすくなる。
【００３０】
図９の突起２４ｄと図１０の突起２４ｅは、第２のパネル支持部２４ｂのパネル支持部２４ａとの接続部分に沿って第２のパネル支持部２４ｂの幅方向（左右方向）に延びる第１の部分２４ｇ，２４ｉを備える。これらの第１の部分２４ｇ，２４ｉは、突起２４ｄ，２４ｅの第１および第２のパネル支持部２４ａ，２４ｂを補強するリブとして機能し、緩衝材２４の成形時の変形を抑制できる。特に、これらの第１の部分２４ｇ，２４ｉを設けたことで、第２のパネル支持部２４ｂが内側に曲がるのを防止できる。
【００３１】
また、図１０に示すように、突起２４ｃを形成する位置について第２のパネル支持部２４ｂの端部から内側に寄せた位置に形成したことにより、前面から負荷がかかった場合、突起２４ｃの先端は衝撃によって潰れるが、第２のパネル支持部２４ｂの端部にも薄肉で変形しやすい部分が存在することとなり、液晶表示パネル３にこの部分が接触した時、緩衝効果が発生し、液晶表示パネル３の表示面への応力集中をより一層起こりにくくすることが可能となる。
【００３２】
このように本開示においては、薄型表示装置において、より一層の薄型化が図られるとともに、狭額縁デザインや薄型梱包形態の採用により、機械的な強度が低下しても、輸送時に受ける機械的衝撃などによるパネルの破損を防ぐことができるという効果が得られる。
【００３３】
上部中央部の緩衝材２２と下部中央部の緩衝材２４のうち、いずれか一方のみを採用してもよい。この場合にも、パネル破損防止の効果は得られる。また、上部中央部および下部中央部に緩衝材２２，２４に加え、上部コーナー部および下部コーナー部にも緩衝材２２，２４と同様の構造の緩衝材を配置してもよい。さらに、上部コーナー部および下部コーナー部に緩衝材２２，２４と同様の構造の緩衝材を配置し、上部中央部および下部中央部には突起２４ｃ，２４ｄ，２４ｅを有さない一般的な構造の緩衝材を配置してもよい。これらの場合にも、パネル破損防止の効果は得られる。
【産業上の利用可能性】
【００３４】
以上のように本開示は、輸送時における薄型表示装置の破損を防ぐ上で有用である。
【符号の説明】
【００３５】
１  表示装置本体
３  液晶表示パネル
４  バックライト装置
５  外装ケース
５ａ、５ｂ、５ｃ、５ｄ  コーナー部領域
６  フロントキャビネット
７  バックキャビネット
２１  梱包箱
２２、２３、２４  緩衝材
２４ａ  第１のパネル支持部
２４ｂ  第２のパネル支持部
２４ｃ、２４ｄ、２４ｅ  突起
２４ｆ  平坦面
２４ｇ，２４ｉ  第１の部分
２４ｈ，２４ｊ  第２の部分
【図１】
0006004234.tif 000002
【図２】
0006004234.tif 000003
【図３】
0006004234.tif 000004
【図４】
0006004234.tif 000005
【図５】
0006004234.tif 000006
【図６】
0006004234.tif 000007
【図７】
0006004234.tif 000008
【図８】
0006004234.tif 000009
【図９】
0006004234.tif 000010
【図１０】
0006004234.tif 000011